Podtech/llm-jp-corpus-v4-ja_patent huggingface dataset:
(57)【要約】      （修正有）【課題】エアーポンプを使用して、蹲等で使用できる高さに揚水する。また、故障を少なくさせるためにできるだけ単純構造のものとする。【解決手段】水圧と揚水装置本体内の空気圧の上昇と下降を利用し、一枚の独立した弁板を開閉させて液体を間欠的に圧力揚水する。一枚の独立した弁が圧力によって動くだけなので故障が少ない。なお、間欠揚水であるが、水流調整部を設けることにより、連続流出などに流出形態を変えることができる。【選択図】図１
2009062944.tif 000002
【特許請求の範囲】
【請求項１】
本発明の間欠圧力揚水装置は、水圧とエアーポンプによる空気圧を利用して、間欠圧力揚水をすることが出来る。揚水装置本体内の空気圧力が上下することにより弁板を開閉し、吸水排出させる事を特徴とする。
【発明の詳細な説明】
【技術分野】
【０００１】
本発明は、エアーポンプを使用して間欠圧力揚水をする事が出来る揚水装置に関する。
【背景技術】
【０００２】
従来、循環式の蹲などは、水中ポンプを使用しているが必要以上に水量が多いために、貯水槽に水を戻す等の工夫が必要であり不経済である。また、貯水槽に水が無くなった場合の空運転防止も考えなければならない。
【０００３】
エアーポンプを使用しての揚水方法はエアーリフト等があり、さらに高く揚げようと考案された高揚程気泡ポンプがある。
【０００４】
【特許文献１】特許公開  平７−３１０６９８
【非特許文献１】ダイアフラム  http//www.inscope.jp/tapflo/tapflowork.htm
【発明の開示】
【発明が解決しようとする課題】
【０００５】
上記のエアーリフトによる方法は、大量の底水を水面上に押し上げることが出来るが、重力によって蹲等が必要とする高さまで揚げる事は出来ない。また、ダイアフラムによる揚水ポンプは高価である。
【０００６】
本発明はエアーポンプを使用し、単純構造であって蹲等が必要とする高さまで揚水する事を課題とする。
【課題を解決するための手段】
【０００７】
本発明の間欠圧力揚水装置は、揚水装置本体内の空気の圧力が上下することにより弁板を開閉して、吸水排出を繰り返す。
【発明の効果】
【０００８】
本発明の間欠圧力揚水装置は、エアーポンプを使用して水を高く揚げる事が出来る。間欠揚水であるが、水流調整部で空気抜きと水の出口穴の大きさを調節すれば、連続流出などに流出形態を変える事が出来る。そして、構造が単純であるため故障が少ない。また、貯水槽に水が無くなっても空気が抜けるだけでエアー
ポンプ及び間欠圧力揚水装置に影響が無く、貯水槽に水を足せばまた揚水するようになるので安心である。
【発明を実施するための最良の形態】
【０００９】
本発明の実施の形態を図面に基づき詳細に説明する。
【００１０】
図１の断面図で、本発明の間欠圧力揚水装置本体の構造を示し、図２で実施例を示している。
【００１１】
図１の吸水管１１は、揚水装置本体を外付する場合に必要であり、揚水装置本体を水中に沈めて使用する場合は、吸水口となる。この吸水口に弁板１３の機能を害する物が混入する可能性のある場合は、網等を装着してその手前にバルブ付排水管を付けるなどの排出対策をする。
【００１２】
揚水装置本体１７内にある仕切り板１８は、水を溜めて上部を空気が通うようにする。装置本体内の空気圧が下り弁板１３が開くと、吸水された水が溢れ出る。
【００１３】
弁板１３は、吸水穴１２と弁板止め１５との間を自由に動くように一枚の板として独立している。弁板１３は薄いアクリル板などの柔軟性部材を使用し、仕切り板１８で溜まる水の水面２３よりも低い位置になるような大きさにする。弁板１３に空気を接触くさせない事が重要である。
【００１４】
弁板止め１５は、網状の物でも良いが、板の場合、上部に通気穴を開け下部から水が通るようにする。そして、吸水弁１３が揚水装置内の圧力を即時受けるように突起部１４を付ける。
【００１５】
弁板止め１５の水の通り口は、自由に動く弁板１３が挟まれないような形にしなければならない。
【００１６】
排出ホース２２の内径は、圧力揚水及び水の吐出音に大きく影響する。空気の吐出量が調節できるエアーポンプを使用すると便利である。なお、排出ホースの内径が大きすぎると圧力揚水効果を得られない。
【００１７】
排水管２０は、沈殿物を除去するための物で、バルブかキャップで止める。図面では真下につけているが、設置条件などで側面下に付けて横に排出しても問題はない。                                                                                                                                        
【００１８】
吸水管１１内の水には、水圧が必要である。水圧が低いと弁板１３がエアーホース２１から入る空気の圧力に負けて、揚水装置本体内に入る水が少量となる。吸水管１１内の水圧を上げると、水が弁板１３を押して揚水装置本体内に多く入る。入った水は仕切り板１８の上部から溢れる。溢れた水は、排出ホース２２に入る。排出ホースに水が入ると揚水装置本体内の圧力が上り、弁板１３が吸水穴１２を塞ぐ。排出ホース内の水がある程度行くと揚水装置本体内の圧力が下がって弁板１３が開く。この繰り返しで間欠圧力揚水をする。
【００１９】
図２の貯水槽２７に溜まる水の高さが水圧になるが、吸水管１１を利用し、水を下に導いて揚水装置本体へ入れればより高い水圧を得る事が出来る。また、それによって、貯水槽の高さを低くすることも可能である。
【００２０】
排出ホース２２を通って排出する水と空気は、水流調整部２４に入れて空気抜き口２５から空気を抜き、水出口２６から水だけを出すことが出来る。水出口２６の穴の大きさによって流出形態が変わるので、バルブ等を使用すれば自在に調整できる。
【産業上の利用可能性】
【００２１】
本発明の間欠圧力揚水装置は、循環させて水の流れを楽しむ製品に使用する他に、液体揚水装置として幅広く利用が可能である。
【図面の簡単な説明】
【００２２】
【図１】間欠圧力揚水装置本体の断面図である。
【図２】本発明の実施例を図面にしたものである。
【符号の説明】
【００２３】
１１    吸水管
１２    吸水穴
１３    弁板
１４    突起部
１５    弁板止め
１６    通気穴
１７    揚水装置本体
１８    仕切り板
１９    排水口
２０    排水管
２１    エアーホース
２２    排出ホース
２３    水面
２４    水流調整部
２５    空気抜き口
２６    水出口
２７    エアーポンプ
【図１】
2009062944.tif 000003
【図２】
2009062944.tif 000004
(57)【要約】【課題】充電器の接続において、接点を有する場合、接点の短絡による過電流発火、粉塵などによる接点不良の改善をするための手段として用いられている無接点充電器の結合部の高効率化を提供することを目的とする。【解決手段】スイッチング電源用のトランスの１次側と２次側を分離し１次側では、１次側コアの軸部を中心に１次コイルを巻回し１次側ケース覆い、２次側では、２次側コア軸部を中心に２次コイルを巻回し２次側ケースによって覆い１次側と２次側の結合時は１次側コアの軸部と２次側コア軸部が磁気結合する構成としたもの。【選択図】図１
2009219181.tif 000002
【特許請求の範囲】
【請求項１】
スイッチング電源用のトランスの１次側と２次側を分離し１次側では、１次側コアの軸部を中心に１次コイルを巻回し１次側ケース覆い、２次側では、２次側コア軸部を中心に２次コイルを巻回し２次側ケースで覆い、１次側と２次側の結合時では１次側コアの軸部と２次側コア軸部が磁気結合したことを特徴とする充電器。
【請求項２】
前記スイッチング電源用のトランスの１次側と２次側を分離し１次側では、１次側コアの内部に１次コイルを巻回し１次側ケース覆い、２次側は、２次側コア軸部を中心に２次コイルを巻回し２次側ケースによって覆い１次側と２次側の結合時は２次側コアの軸部によって磁気結合としたことを特徴とする請求項１記載の充電器。
【発明の詳細な説明】
【技術分野】
【０００１】
本発明は、携帯用電子機器に使用される電池を充電するものに関するものである。
【背景技術】
【０００２】
近年、電子機器の安全性が高まる中、デジタルスチルカメラなどにおける携帯用電子機器の充電式機器の充電装置において、充電器本体と充電池を内蔵した機器との接続に関しては電気的接点を有して接続し充電する方式が一般的である。
【０００３】
しかしながら、電気的接点を有する接続においては、外的要因によるショートによる破損、発熱および塵埃などによる接触不良など品質不良が発生する可能性がある。
【０００４】
上記を実現するため、トランスの電磁誘導の原理を応用し１次側と２次側を独立させて充電器を構成した無接点化を実現していた（例えば、特許文献１および２参照）。
【特許文献１】特開２００５−１３７１７３号公報
【特許文献２】特開２００２−２６２４６８号公報
【発明の開示】
【発明が解決しようとする課題】
【０００５】
しかしながら前記従来例の１次、２次の分離方式ではコアの同一軸上にコイルが巻回されて無いか、コアを使用していないため、１次、２次間の結合度が低く変換効率が悪いため、低コスト、高効率の充電システムの実現は困難であった。
【０００６】
本発明は、上記課題を解決し、低コストかつ高効率の充電を実現するものである。
【課題を解決するための手段】
【０００７】
上記従来の課題を解決するために、本発明の充電器は、スイッチング電源用のトランスの１次側と２次側を分離し１次側では、１次側コアの軸部を中心に１次コイルを巻回し１次側ケース覆い、２次側では、２次側コア軸部を中心に２次コイルを巻回し２次側ケースで覆い、１次側と２次側の結合時では１次側コアの軸部と２次側コア軸部が磁気結合したことを特徴とする充電器。
【発明の効果】
【０００８】
本発明よると、１次コイルと、２次コイルを近接させ、コアの同一軸線上に配置させることで、１次コイル、２次コイル間の結合度を飛躍的に増加させることが可能なため、充電器を高効率化することが可能となる。
【発明を実施するための最良の形態】
【０００９】
以下本発明を実施するための最良の形態について、図面を参照しながら説明する。
【００１０】
（実施の形態１）
図１は本発明の実施の形態１におけるの構成図である。図１において１次側は、１次側コア４の１次側コア軸部４ａを中心に１次コイル７が巻回されており、１次側ケース２によって覆われている。また、２次側は、２次側コア３の２次側コア軸部３ａを中心に２次コイル６が巻回されており、２次側ケース１によって覆われている。
【００１１】
この様な構成において、２次側と１次側が結合した場合、１次側コア軸部４ａと２次側コア軸部３ａは磁気的に同一軸となり１次コイル７と２次コイル６は同一軸線上に配置され結合度を上げることが出来る為、低コスト、高効率の充電制御の出来る無接点充電器を提供することができる。
【００１２】
（実施の形態２）
図２は本発明の実施の形態２における構成図である。図２においては１次側は、１次側コア４の内部に１次コイル７が巻回されており、１次側ケース２によって覆われている。また、２次側は、２次側コア３の２次側コア軸部３ａを中心に２次コイル６が巻回されており、２次側ケース１によって覆われている。
【００１３】
この様な構成において、２次側と１次側が結合した場合、１次コイル７は２次側コア軸部３ａを中心に巻回されたものと同等になり、１次コイル７と２次コイル６は２次側コア軸部３ａ上で磁気結合し結合度を上げることが出来る為、低コスト、高効率の充電制御の出来る無接点充電器を提供することができる。
【産業上の利用可能性】
【００１４】
本発明にかかる充電器は、携帯用電子機器に使用される電池を充電するものであり、高い効率性を実現に有用である。
【図面の簡単な説明】
【００１５】
【図１】本発明の実施の形態１に示す急速充電器の構成図
【図２】本発明の実施の形態２に示す急速充電器の構成図
【符号の説明】
【００１６】
１    ２次側ケース
２    １次側ケース
３    ２次側コア
３ａ  ２次側コア軸部
４    １次側コア
４ａ  １次側コア軸部
５    １次側コア
６    ２次コイル
７    １次コイル
【図１】
2009219181.tif 000003
【図２】
2009219181.tif 000004
(57)【要約】      （修正有）【課題】ペットボトルを湯たんぽとして使用するためにやけどをしないための断熱効果と、暖をとるための保温効果を両立させるための防護カバーの製作。【解決手段】厚手で保温効果のある生地として、アクリル、綿、毛布、布、純毛、ポリエステル、カシミアなどを使用して、断熱効果と保温効果を両立させる。また、断熱保温保護カバーの留め口として、ひも、ボタン、ジッパー、ホック、毛羽立ち留め合わせ、その他を含めて作成する。【選択図】図１
2009219838.tif 000002
【特許請求の範囲】
【請求項１】
省エネで手軽なペットボトルを湯たんぽとして使用する。
【請求項２】
ペットボトルを湯たんぽとして使用する断熱保温防護カバーのすべて。
【発明の詳細な説明】
【技術分野】
【０００１】  ペットボトルを湯たんぽとして使用する。【０００２】  ペットポトルを湯たんぽとして使用可能にする断熱保温防護カバー全般。【０００３】  やけどを防ぐための断熱と暖かさを保つ保温防護カバー。生地として、アクリル、綿、毛布、布、純毛、ポリエステル、カシミヤ、その他を含む。【０００４】  断熱保温防護カバーの留め口として、ひも、ボタン、ジッパー、ホック、毛羽立ち留め合わせ、その他を含む。
【発明の開示】
【発明が解決しょうとする課題】
就寝時の冷えを解消し、暖房器具の使用を減らし、火災等の危険を無くし、省エネ効果により、光熱費とＣＯ２の削減に寄与する。
【課題を解決するための手段】
手軽なベットボトルを湯たんぽとして使用するための断熱保温防護カバーの作成。
【発明の効果】
就寝時の冷えが無くなり、良い睡眠が得られ、暖房器具の使用が不要になり、光熱費とＣＯ２の削減に効果がある。
【発明を実施するための最良の形態】  ペットボトルのカバーとして断熱保温防護カバーの保温とやけどを防ぐため断熱を両立させるための布地の調整。
【産業上の利用可能性】  国内向けの簡易な就寝時の暖房器具として、また途上国向けの簡易な就寝時の暖房器具として使用できる。また光熱費とＣＯ２の削減効果がある。
【図面の簡単な説明】  ペットボトルがすぽっと入って留め口がついてあるもので、保温効果と、やけどをしない断熱効果があるすべてのカバー。
【図１】
2009219838.tif 000003
【図２】
2009219838.tif 000004
【手続補正書】
【提出日】平成20年5月16日(2008.5.16)
【手続補正１】
【補正対象書類名】明細書
【補正対象項目名】全文
【補正方法】変更
【補正の内容】
【発明の詳細な説明】
【技術分野】
【０００１】  ペットボトルを湯たんぽとして使用する。【０００２】  ペットボトルを湯たんぽとして使用可能にする断熱保温防護カバー全般。【０００３】  やけどを防ぐための断熱と暖かさを保つ保温防護カバー。生地として、アクリル、綿、毛布、布、純毛、ポリエステル、カシミヤ、その他を含む。【０００４】  断熱保温防護カバーの留め口として、ひも、ボタン、ジッパー、ホック、毛羽立ち留め合わせ、その他を含む。
【発明の開示】
【発明が解決しょうとする課題】
【０００５】  就寝時の冷えを解消し、暖房器具の使用を減らし、火災等の危険を無くし、省エネ効果により、光熱費とＣＯ２の削減に寄与する。
【課題を解決するための手段】
【０００６】  手軽なペットボトルを湯たんぽとして使用するための断熱保温防護カバーの作成。
【発明の効果】
【０００７】  就寝時の冷えが無くなり、良い睡眠が得られ、暖房器具の使用が不要になり、光熱費とＣＯ２の削減に効果がある。
【発明を実施するための最良の形態】
【０００８】  ペットボトルのカバーとして断熱保温防護カバーの保温とやけどを防ぐため断熱を両立させるための布地の調整。
【産業上の利用可能性】
【０００９】  国内向けの簡易な就寝時の暖房器具として、また途上国向けの簡易な就寝時の暖房器具として使用できる。また光熱費とＣＯ２の削減効果がある。
【図面の簡単な説明】
【００１０】
【図１】  ペットボトルがすぽっと入って留め口がついてあるもので、保温効果と、やけどをしない断熱効果がある角形カバー。
【図２】  ペットボトルがすぽっと入って留め口がついてあるもので、保温効果と、やけどをしない断熱効果がある丸形カバー。
(57)【要約】      （修正有）【課題】蚊に刺された跡に、押し付ける事により刺された跡を、可愛くケアする道具である。【解決手段】蚊に刺された跡に、プラスティックを印鑑の程度の大きさに加工し、先端に模様や絵などを描いた製品先端に形や絵を彫りかたどった簡単な構想の絵や模様を描く。簡単な構造で使用するときは、印鑑を押すようにして使用する押し付ける、さされた跡に絵が形撮られる。以上により簡単な構造で使用する道具である。【選択図】図１
2009219840.tif 000002
【特許請求の範囲】
【請求項１】
プラスティックを印鑑の程度の大きさに加工し、先端に模様や絵などを描いた製品。
【発明の詳細な説明】
【技術分野】
【０００１】  本発明は、蚊に刺された跡を、可愛くケアするものである
【背景技術】
【０００２】  従来、蚊に刺された跡は、爪でばつを付けていた
【発明の開示】
【発明が解決しようとする課題】
【０００３】  従来は、爪で跡を付けることにより、見た目があまりよくない
【課題を解決するための手段】
【０００４】  印鑑の程度の大きさに加工し先端に絵や模様を描く
【発明の効果】
【０００５】  蚊に刺された跡に押し付けることにより、さされた跡に絵が形撮られる。
【発明を実施するための最良の形態】
【０００６】  以下、本発明を説明する。
大きさは、印鑑程度の大きさで、先端に形や絵を彫りかたどった簡単な構想。
本発明は簡単な構造で使用するときは、印鑑を押すようにして使用する
【図面の簡単な説明】
【０００７】
【図１】本発明の斜視図
【図２】その他の形態
【図１】
2009219840.tif 000003
【図２】
2009219840.tif 000004
(57)【要約】【課題】    従来満員電車等での痴漢冤罪事件では、無実が証明されない事から、無実の罪に問われたまま犯罪者扱いされ、人生を台無しに余儀なくされてしまった人が多数いた。【解決手段】    本発明は「本当に痴漢をしていない」という決定的な事実証明をする為に、胸の位置から両手を下ろさない為のベルトであり、片方の手を胸の位置より下げようとすると、もう片方の手は首の位置まで上げなければならず、不自然な体勢になることから無実の証明が出来る。また、両腕を吊っている事から、長時間の雑誌や新聞を読んでいても、腕がだるくなったり疲れたりする事が無くなる。【特許請求の範囲】
【請求項１】
両端が、マジックテープ等で脱着可能な首から掛けるベルト。
【請求項２】
両端を、両手首に巻き付け固定し、首から掛けるベルト。
【請求項３】
両手首を胸の前で吊り、両手が下がらないようにしたベルト。
【発明の詳細な説明】
【発明の詳細な説明】
【技術分野】
【０００１】  本発明は、満員電車等で痴漢冤罪防止に効果を発揮する、手軽で効率の良い両手首を胸の前で吊る、首から掛けるベルトに関する。
【背景技術】
【０００２】  満員電車等で、手を下ろしていた為、痴漢に間違えられ冤罪にされていた。【０００３】  痴漢に間違えられた当事者は濡れ衣であっても、それを証明する手段が無かった。【０００４】  被害者の言葉が、立証する唯一の証言である為、無実でも冤罪になった。
【発明が解決しようとする課題】
【０００５】  ところが、上記従来の手段においては、痴漢に間違われた場合、真犯人が自主しない限り犯人にされ、冤罪被害になった。
【０００６】  満員電車などの身動きが出来ない状態では、吊革が手の届くところに無い為、手のやり場が無く、時として痴漢の被害にあったとする方から接近した場合がある。
【０００７】  新聞や雑誌を見ていて、手を上げていた場合であっても、これを証明する決定的な証明にはならず、無実の罪に問われていた。
【０００８】  このように痴漢に疑われた場合、無実を証明するものが何も無かった為に、冤罪事件が多発した。無実の罪に問われた当事者は、職を失ったり罰金や服役をしたりと、本人はもとより家族や親戚が社会から精神的苦痛を味わったり憂鬱になったりした。
【課題を解決するための手段】
【０００９】  しかして、本発明は、このような技術背景のもとで鋭意研究を進めた結果、「無実である」という決定的な証拠を作る為の方法で本発明をさせるに至った。
【００１０】  すなわち、本発明は（１）、首から掛けたベルトの両端が胸の前で終わるような長さにする。
【００１１】  そして、（２）、ベルトの両端に、マジックテープ等の簡単脱着なベルトをそれぞれ両手首に巻き、固定し、そしてまた、（３）、両手首が胸の高さから下がらないようにベルトの長さを調節する。
【発明を実施するための最良の形態】
【００１２】  以下、本発明に係る実施の形態を、図面にもとづき、その作用と併せて詳細に説明する。【００１３】〔第１の実施の形態〕
図１は、第１の実施の形態で、両手首を固定するベルトの全体像を示した図である。
図２は、ベルトを首に掛け、両端の簡単脱着なベルトを両手首に巻き固定し、胸の前で固定した時の全体を示した図である。
【図面の簡単な説明】
【図１】  図１は、第１の実施の形態における首から掛けるベルトの全体像である。
【図２】  図２は、第１の実施の形態におけるベルトを首に掛けて、両手首を胸の前で固定したときの全体像である。
【符号の説明】
Ａ・・・ベルト
Ｂ・・・手首を固定するベルト
Ｃ・・・首があたる部分のクッション
【図−１】
2009219839.tif 000002
【図−２】
2009219839.tif 000003
(57)【要約】【課題】  従来の方法ではマット全部を洗濯するか取り替えるなど大変な労力がかかり、また不快である問題点があった。【解決手段】  本発明の使い捨てマットは防臭吸水性マットと水分遮断シートの二重構造でできたマット、あるいは防水塗料を片面に塗ったマットをモザイクにして汚染部分を剥がして破棄し新しいモザイクを埋めて使用する。使い捨てで衛生的活使用上簡単便利トイレだけでなく他の場所にも使用できる。【選択図】図１
2009219852.tif 000002
【特許請求の範囲】
【請求項１】
防臭吸水性マットと水分遮断シートの二重構造でできたマットをモザイク化したことを特徴とするマット。
【請求項２】
防臭防水性マットの片面に防水塗料を塗ったマットをモザイク化したことを特徴とするマット。
【請求項３】
各モザイクの周囲に横漏れ防止塗料を施したことを特徴とする請求項１又は請求項２に記載のマット。
【請求項４】
使い捨てが可能な請求項１、請求項２又は請求項３に記載のマット。
【発明の詳細な説明】
【技術分野】
【０００１】  本発明はトイレ使用時の不始末での悪臭、汚物付着マットの洗浄処理を上記マットの汚染部分のモザイクシートを剥がしその部分に新しいモザイクを埋めることで簡易に清潔に処理できるマットに関するものである。
【背景技術】
【０００２】  現在のマットでは使用時の不始末の度に全部洗濯するか取り替えるなどの労力がかかり不快感が生じていた。
【発明の開示】
【発明が解決しようとする課題】
【０００３】  従来の方法ではマット全部を洗濯するか取り替えるなど大変な労力がかかり、また不快である問題点があった。本発明は、これらの問題点を解決するためになされたものである。
【課題を解決するための手段】
【０００４】  本発明は防臭吸水性マットと水分遮断シートの二重構造でできたマットをモザイク化したことを特徴とするマットである。【０００５】  本発明は防臭吸収性マットの片面に部薄い塗料を塗ったマットをモザイク化したことを特徴とするマットである。【０００６】  本発明は各モザイクの周囲に横漏れ防止塗料を施したことを特徴とするマットである。【０００７】  マットの形態は改良していけるものとし、トイレだけでなく水周りや油、薬品等を使用する場所にも使用できる使い捨てが可能なマットである。
【発明の効果】
【０００８】  本発明は、モザイクマットの汚染部分のみを剥がして破棄しその部分に新しいモザイクを埋めることで洗濯の必要もなく衛生的、経済的、簡易的に処理しうることが出来る。又、使い捨てモザイクマットに関してはトイレ使用の不始末時のマット処理が簡潔で便利、衛生的に解決できる。
【発明を実施するための最良の形態】
【０００９】  以下に本発明における実施の形状について図１〜図５を参照して詳細に説明する。本発明は衛生的かつ便利であることを特徴とし、使い捨てモザイクマットの形態、素材、様式等は改良していけるものとする。
【実施例】
【００１０】  図１、図２を用いて実施例１について説明する。図２に示すようにモザイク１の周囲に凹部３と凸部２を設けて、図１示すように隣り合うモザイク１の凹部３と凸部２を勘合させてマットを形成する。使用するモザイク１の数を変えることにより、各自のトイレの大きさ、用途に応じた設定にすることが出来る。【００１１】  図３、図４を用いて実施例２について説明する。図３に示すようなモザイク７を使用する場合は、図４に示すようにモザイク７が移動するのを防ぐマット固定枠８を使って固定する。マット固定枠８の中に所定数のモザイク７を入れてマットを形成する。この場合はマットの大きさはマット固定枠８の大きさにより決定される。【００１２】  次に、図５、図６を用いてモザイク１、７の構造について説明する、図５は防臭吸収性マット４の底面に防水塗料６を施すと共に、側面に横漏れ防止塗料６を施したモザイク１、７である。図６は防臭吸水性マット４と水分遮断シート５を貼り付けて側面に横漏れ防止塗料を施したモザイク１、７である。【００１３】  上記実施例のマットに使用する防臭吸水性マット４、水分遮断シート５、マット固定枠８は、使用後は破棄できる材質で形成されている。【００１４】  上記実施例のマットを使用すると、汚染部分のモザイクのみを新しいモザイクに取り替えることで、洗濯の必要もなく衛生的、経済的、簡易的に処理しうることが出来る。又、汚染部分のモザイクはそのまま破棄すれば良いので簡単である。【００１５】  又、上記実施例のマットは防臭防水性マットと、水分遮断シート又は防水塗料を使用しているので、臭いと水分を漏らすことがなく、衛生的である。
【図面の簡単な説明】
【００１６】
【図１】実施例１の本発明マットの斜視図
【図２】周囲に凹凸を付けたモザイク
【図３】周囲に凹凸の無いモザイク
【図４】実施例２の本発明マットの斜視図
【図５】防臭吸水性マットの底面と側面に防水塗料を施したモザイク
【図６】防臭吸水性マットと水分遮断シートの二重構造のモザイク
【符号の説明】
【００１７】  １  モザイク
２  凸部
３  凹部
４  防臭吸水性マット
５  水分遮断シート
６  防水塗料
７  モザイク
８  マット固定枠
【図１】
2009219852.tif 000003
【図２】
2009219852.tif 000004
【図３】
2009219852.tif 000005
【図４】
2009219852.tif 000006
【図５】
2009219852.tif 000007
【図６】
2009219852.tif 000008
(57)【要約】【課題】  本発明は、衣服を掛ける際に、単独のハンガーを用いて、他の複数のハンガーを簡単に掛けはずしが出来る衣服用ハンガーの提供する。【解決手段】  衣服肩掛け部１と、この衣服肩掛け部１の下端部に設けられたハンガー引っ掛け部２と、上記衣服肩掛け部１に接続されたポール引っ掛け部３とを備えたハンガー１０において、上記ハンガー引っ掛け部２に凹凸部２ａを設る。【選択図】図１
2009219845.tif 000002
【特許請求の範囲】
【請求項１】
衣服肩掛け部と、この衣服肩掛け部の下端部に設けられたハンガー引っ掛け部と、上記衣服肩掛け部に接続されたポール引っ掛け部とを備えたハンガーにおいて、上記ハンガー引っ掛け部に凹凸部を設けたことを特徴とするハンガー。
【請求項２】
上記ポール引っ掛け部に滑り止め部を設けたことを特徴とする請求項１記載のハンガー。
【発明の詳細な説明】
【技術分野】
【０００１】  本発明は、衣服をかけるハンガーに関するものである。
【背景技術】
【０００２】  従来のハンガーは、複数のハンガーを連結したものがある。
【特許文献１】  実開平６−１５５７９号公報［図２］
【発明の開示】
【発明が解決しようとする課題】
【０００３】  上記の従来のようなハンガーは、複数のハンガーが連結されているので折りたたむ際にもコンパクトに収納できないと言う問題があった。又、衣服などを掛ける際、真ん中部分のハンガーに掛けにくい部分がある。単独で掛けやすいハンガーによるハンガー掛けを求められる。
本発明は、衣服を掛ける際に単独のハンガーを用いて、他のハンガーに衣服を掛けた後、そのハンガーを複数簡単に掛けはずしが出来る衣服用ハンガーを提供する。
【課題を解決するための手段】
【０００４】  この発明の衣服用ハンガーは、衣服肩掛け部と、この衣服肩掛け部の下端部に設けられたハンガー引っ掛け部と、上記衣服肩掛け部に接続されたポール引っ掛け部とを備えたハンガーにおいて、上記ハンガー引っ掛け部に凹凸部を設けたものである。【０００５】  また、上記ポール引っ掛け部に滑り止め部を設けたものである。
【発明の効果】
【０００６】  この発明のハンガーは、ハンガー引っ掛け部に凹凸部を設けたことによって他の複数のハンガーを掛けはずしする事が出来るので、狭い場所に掛ける事が出来る。又、掛けはずしが簡単に出来ると共に、コンパクトにかたづけが容易になる。【０００７】  また、ハンガー引っ掛け部に凹凸部があるので他のハンガーを掛ける事によって、風でずれる事がなくなる。【０００８】  また、ポール引っ掛け部に滑り止め部を設けたので、ポールからずれることが難しくなる。
【発明を実施するための最良の形態】
【０００９】実施の形態１．
図１は本発明の衣服用ハンガーを示す正面図である。図において１０は衣服用ハンガーであり、１は衣服肩掛け部であり、わん曲状に形成されている。２は衣服肩掛け部１の下端部に設けられたハンガー引っ掛け部であり、他のハンガー等を掛けるもので、複数の凹凸部２ａが形成されている。この凹凸部は蛸の頭に似た形をしている。３はポール引っ掛け部であり、吊り下げ棒４により衣服肩掛け部１に接続され、滑り止め部３ａが形成されている。滑り止め部はゴム、凸凹、イボ型などで形成されている。５はポール引っ掛け留め部であり、ポール引っ掛け部３に矢印Ａ方向に開閉できる様に接続されている。また、ポール引っ掛け部３は吊り下げ部４に対して３６０度回転可能に接続されている。【００１０】  上述の様に構成された衣服用ハンガーの使用方法を図３に基づき説明する。
上部分のポール引っ掛け部３はポール２０を挟む様になっており、滑り止め部３ａには滑り止め処理をしている為、ずれにくい。ハンガー引っ掛け部３は吊り下げ４に対して３６０度回転できる様にしており、太陽や風を均等に当てる事が出来る。下部分の凹凸部２ａは他のハンガーを掛ける際、何個か簡単に掛けはずしが出来、風によって外れたり移動する事がない衣服用ハンガー。
【図面の簡単な説明】
【００１１】
【図１】  本発明の実施の形態１を示す衣服用ハンガーの正面図である。
【図２】  本発明の衣服用ハンガーの使用状態を示す斜視図である。
【符号の説明】
【００１１】    １  衣服肩掛け部、２  ハンガー引っ掛け部、２ａ凹凸部、
３  ポール引っ掛け部、３ａ  滑り止め部
【図１】
2009219845.tif 000003
【図２】
2009219845.tif 000004
(57)【要約】【課題】泡立て器のみを使用した場合より、時間を短縮させる為の調理器具を提供する。【解決手段】泡立て器（電動は除く）の中に針金状のボールを入れて使用することにより、泡立て時間を短縮することができる。【選択図】図１
2009219848.tif 000002
【特許請求の範囲】
【請求項１】
この発明は、泡立て時間を短縮する為に、泡立て器の中に入れて使う、針金１０本で構成された球状の調理器具。
【発明の詳細な説明】
【技術分野】
【０００１】本発明は、従来の泡立て器（電動でないもの）に、針金製の球状のものを入れて使用することにより、生クリームやメレンゲなどの泡立てをより早くできるようにしたものである。
【背景技術】
【０００２】泡立てる時間を短くする為の器具はなかった。
【発明の開示】
【発明が解決しようとする課題】
【０００３】手で回して泡立てる事は、扱いやすい反面時間を必要とした。その点を解消する為のものである。
【課題を解決するための手段】
【０００４】針金製の小さな球状にすることで、従来の泡立て器に簡単に入れられ攪拌することができる。
【発明の効果】
【０００５】この調理器具を泡立て器に入れて攪拌することで、泡立てる物質に、空気をより多く送り込めるので、泡立ての時間は従来のものより約１／３ほど短縮が可能となる。
【発明を実施するための最良の形態】
【０００６】この発明の実施形態を図１に示す。
（イ）本体１は、球体を１０本の針金で構成している。
上部と下部で針金が交差する。
（ロ）針金の素材はステンレススチールなどを使用する。
【実施形態の効果】
【０００７】この実施形態によれば、泡立て時間の短縮により腕への負担も軽減される。
【他の実施形態】
【０００８】泡立て器の中に簡単に入れられ、使用後には取り出し洗浄が行える。
【図面の簡単な説明】
【０００９】
【図１】本発明の実施形態を示す平面図である。
【図２】本発明の実施形態を示す斜視図である。
【符号の説明】
【００１０】１  本体
【図１】
2009219848.tif 000003
【図２】
2009219848.tif 000004
(57)【要約】【課題】  本発明は、位牌が霊のとどまる「霊位」であることをより明確にさせ、墓所への墓参と同様の供養ができ、なおかつ「霊位」として、より尊ばれる位牌を提供する。【解決手段】  位牌の内部に納骨のための部位を設け、これに分骨した遺骨を直接、あるいは各種素材よりなる箱型もしくは筒型などの納骨体に納め、位牌の納骨するための部位に納めるのを特徴とする。【選択図】図１
2009219849.tif 000002
【特許請求の範囲】
【請求項１】
位牌の内部に、分骨した遺骨を納めることができるようにした部位を設けた位牌
【発明の詳細な説明】
【技術分野】
【０００１】  この発明は、位牌の内部に分骨した遺骨を納めるための部位を設けた、納骨のできる位牌に関するものである。
【背景技術】
【０００２】  従来、位牌と遺骨は別々になっており、それぞれ別々の場所に保管をされている。従って位牌が霊のとどまる場所である「霊位」であることが正確に理解されずにいた。
【発明の開示】
【発明が解決しようとする課題】
【０００３】  これには次のような問題があった。
位牌は、単に戒名や姓名などを記したもので、位牌が霊のとどまる場所である「霊位」であることを認識、理解している人は少ない。その主な原因は、位牌と遺骨は別々の場所に保管され、しかも遺族の思いが遺骨に対して深いためである。さらには位牌と遺骨が別々の場所に保管されるがために、遺族のための諸事情により墓所の確保や管理、墓参などが困難になることがある。
本発明は、以上のような問題をなくすためになされたものである。
【課題を解決するための手段】
【０００４】  本発明は、上記の問題を解決するために、位牌の内部に分骨した遺骨を納めるための部位を設ける。
以上の構成によりなる分骨した遺骨を納めるための部位を設けた位牌である。
【発明の効果】
【０００５】  （イ）位牌の内部に分骨した遺骨を納めるための部位を設けてあるので、分骨した遺骨を納めることにより、位牌が霊のとどまる場所である「霊位」であることの認識がより明瞭となり、より尊ばれる。
（ロ）遺族の諸事情による墓所の確保や管理、墓参などの困難が解消される。
（ハ）遺族は何処の居住地に移動しても、遺骨が身近にあることにより常に墓参と同様の供養をすることができる。
【発明を実施するための最良の形態】
【０００６】  以下、本発明の実施するための形態について説明する。
位牌の内部に遺骨を納めるための部位を設け、分骨した遺骨を直接または各種素材よりなる箱型、あるいは筒型などの納骨体に納め、位牌の内部に設けた納骨するための部位に納めて閉じる。
本発明は以上のような構造で、遺骨と一体となったことによって「霊位」として尊ばれ、遺骨が身近に存在することにより遺族の他居住地への移動や、墓所の確保や管理、墓参に心悩ますことがなくなる。
【図面の簡単な説明】
【０００７】
【図１】  本発明の断面図である。
【符号の説明】
【０００８】  １  牌身
２  位牌台座
３  納骨主要部
４  蓋
【図１】
2009219849.tif 000003
(57)【要約】      （修正有）【課題】干し柿等を干す時の動作、移動する時の動作を容易且つ省力化するための簡便物干しハンガーを提供する。【解決手段】金属或いは樹脂製の部材の中央部を山折し逆Ｕ字から円形状と順次左右対称に折り曲げ、本体１に逆Ｕ字形状部２、円形状部３、４および両端部にやや外側に開き両先端部にフック５を設ける。使用時は本体１の逆Ｕ字形状部２又は円形状部３を物干し紐又は竿に掛け、干し柿等をフック５に吊り下げる。また、取り外す時は一方のフック５を取り外せば干し柿等を上方にまで引き上げることなく本体１ごと移動、架け替えが可能である。【選択図】図１
2009219475.tif 000002
【特許請求の範囲】
【請求項１】
金属又は樹脂製の部材の中央部を山折し逆Ｕ字形状から円形状と順次左右対称に折り曲げ、両端部をやや外側に開き両先端部にフックを設けたことを特徴とする簡便物干しハンガー。
【発明の詳細な説明】
【技術分野】
【０００１】  本発明は、干し柿等を干す時の動作、移動、架け替え動作を容易且つ省力化することが出来る簡便物干しハンガーに関するものである。
【背景技術】
【０００２】  従来は、干し柿等を干す時は物干し竿の上方まで引き上げ、中央から左右に分けて干していた。
【発明の開示】
【発明が解決しようとする課題】
【０００３】そのためにつぎのような問題点があった。
（イ）皮を剥いたばかりの干し柿等は重量があるうえ、竿の上方まで引き上げなければ干      すことが出来ないため、かなりの体力を要した。
（ロ）引き上げて干す時、干し物同士がぶつかったり、絡まったりして、紐から抜け落ち      ることもあった。
（ハ）干した後、移動、架け替えしようとすれば、いちいち竿の上方まで引き上げなけれ      ばならないため、余分な手間と体力を要した。
本発明は以上の問題点を解決するためになされたものである。
【課題を解決するための手段】
【０００４】  金属或いは樹脂製の部材の中央部を山折し逆Ｕ字形状から円形状と順次左右対称に折り曲げ、両端部をやや外側に開き両先端部にフック設ける。
以上を特徴とする簡便物干しハンガーである。
【発明の効果】
【０００５】  本発明は、干し柿等を干したり、移動させたりするときに、手元で簡単に吊るしたり、外したりすることが出来るので、上方に引き上げる等の作業を必要とせず、作業の簡略化、省力化が図られる。
【発明を実施するための最良の形態】
【０００６】以下、本発明の実施の形態について説明する。
（イ）本体（１）に逆Ｕ字形状部（２）円形状部（３）、（４）両先端にフック（５）を      設ける。
本発明は以上のような構造で、これを使用するときは、本体（１）の逆Ｕ字形状部（２）又は円形状部（３）を物干し紐又は竿に掛け、干し柿等（６）をフック（５）に吊り下げる。
また、取り外す時は一方のフックを取り外せば干し物（干し柿等）（６）を上方にまで引き上げることなく、本体（１）ごと移動、架け替えが可能である。
【図面の簡単な説明】
【０００７】
【図１】本発明の斜視図
【図２】本発明の使用状態を示す斜視図
【図３】本発明の移動、架け替え時の使用状態を示す斜視図
【符号の説明】
【０００８】    １本体
２逆Ｕ字形状部
３、４円形状部
５フック
６干し物（干し柿等）
【図１】
2009219475.tif 000003
【図２】
2009219475.tif 000004
【図３】
2009219475.tif 000005
(57)【要約】【課題】  ペットを散歩させる時に、犬や人の足に絡まらず汚れることもなく、つかまえる時にかがむ必要がない、地面に着かないペット用リードを提供する。【解決手段】  ペット用リードと胴輪を一体化させ、シリコン素材や針金入りの紐等で作り、ペットの背中から上後方に立ち上がらせる。一定の長さ以降は従来の紐のリードになっている、地面に着かないペット用リードを特徴とする。【選択図】図１
2009219473.tif 000002
【特許請求の範囲】
【請求項１】
（イ）ペット用リードと胴輪を、一体化し、シリコンや針金入り紐等の素材で構成する。
（ロ）リードはペットの背中から上後方に伸びる。
以上の構成よりなる、地面に着かないペット用リード。
【発明の詳細な説明】
【技術分野】
【０００１】  この発明は、胴輪とリードを一体化し、シリコン素材や針金入りの紐等で作ることにより、ペットの背中部分から上後方に立ち上がるようにした、地面に着かないペット用リードに関するものである。
【背景技術】
【０００２】  従来、立ち上がり、地面に着かないペット用リードはなかった。
【発明の開示】
【発明が解決しようとする課題】
【０００３】  これは次のような欠点があった。
従来、紐状のリードはリードがたるむと犬や人の足に絡まり、地面に付くので汚れたり、リードを一旦離してつかまえる時にかがまなくてはいけないので疲れが生じた。
本発明は、以上のような欠点をなくすためになされたものである。
【課題を解決するための手段】
【０００４】  ペット用リードを胴輪と一体化させ、シリコン素材や針金入りの紐等で作り、ペットの背中から上後方に立ち上がるようにする。一定の長さ以降は従来の紐にして遊び部分を設ける。
本発明は、以上の構成よりなる地面に着かないペット用リードである。
【発明の効果】
【０００５】  ペットの背中部分から、地面に着かない様にリードが立ち上がっているので、犬や人の足に絡むことがなく、自転車で伴走する時も気にする心配がない。また、リードが空中に浮いた状態なので汚れることもない。一旦ペットを離しても、リードは人間が立ったままで捕まえられる高さにあるのでかがむ必要がなく楽である。
【発明を実施するための最良の形態】
【０００６】  以下、本発明を実施するための最良の形態について説明する。
リードと胴輪を一本のシリコン素材や針金入り紐等で作る。ペットに装着することによりリードはペットの背中から上後方に立ち上がる。その先は従来の紐状のリードになっていて犬との距離を自由にとることができる。
本発明は以上のような構造である。
これを使用するときはペットに胴輪を装着し、リードの先端の手持ち部分を人間が持ち散歩すればよい。
【図面の簡単な説明】
【０００７】
【図１】  本発明の斜視図である。
【図２】  本発明の斜視図である。
【図３】  本発明の斜視図である。
【図４】  本発明の斜視図である。
【符号の説明】
【０００８】  １  胴輪の首輪部分
２  胴輪
３  留め具
４  サイズ調整具
５  リードのシリコン等の素材部分
６  リード紐状部分
７  手持ち部分
【図１】
2009219473.tif 000003
【図２】
2009219473.tif 000004
【図３】
2009219473.tif 000005
【図４】
2009219473.tif 000006
(57)【要約】      （修正有）【課題】中高木樹の植栽において植栽場所の地盤の状況を問わず、植付後の植樹の傾斜や倒伏をしないよう固定させる支持具で、しかも樹木の活着成長を促進し、作業工程が単純簡易で、最も廉価な、景観上最良安全な地下に埋設する安定度の高い支柱を提供する。【解決手段】数年以内に腐蝕する鉄などの硬質材で網状に構成された平面材１と、掘りあげて結束された樹木の底部が全面又は網目に開放された根鉢２を前記平面材１の上に配置し、その根鉢２の周囲を紐状体３により前記平面材１に巻き付け固定されたものを、覆うように覆土された埴土４からなる。更に好ましくは、平面材１の網目のサイズは３ｃｍ以上〜１５ｃｍ以下とする。【選択図】図２
2009219432.tif 000002
【特許請求の範囲】
【請求項１】
数年以内に腐蝕する硬質材で網状に構成された平面材と、掘りあげて結束された樹木の根鉢を前記平面材の上に配置し、その樹木の根鉢の周囲を前記平面材に巻きつけ固定する紐状体と、樹木の根鉢を紐状体と共に覆うように覆土された埴土からなる樹木の地下支柱。
【請求項２】
前記平面材の網目は３ｃｍ以上１５ｃｍ以下であることを特徴とする前記請求項１記載の樹木の地下支柱。
【請求項３】
前記平面材を構成する前記硬質材は腐蝕し易い鉄などの金属、木材などからなることを特徴とする前記請求項１記載の樹木の地下支柱。
【請求項４】
前記樹木の根鉢は前記平面材と接する底部が全面又は網目状に開放されているこ
とを特徴とする前記請求項１記載の樹木の地下支柱。  
【発明の詳細な説明】
【技術分野】
【０００１】
本発明は、造園工事において、中・高木植栽樹に好適な樹木の地下支柱に関する。
【背景技術】
【０００２】
従来は樹木を植栽した場合、その樹木の活着と成長を促進するため、木の丸太や金属のパイプ等により樹木の幹を立体形の支柱によって支持していた。この様な、立体形の地上支柱は、鳥居形や八つ掛形で、樹木の幹の周囲に組むので外観が悪く、また通行の邪魔になる等の欠点がある。
【０００３】
そこで特開平８−１０３１８０号公報では、根鉢を一旦覆って、根鉢の上方の幹周辺に緊締環を設け、グレーチング板と緊締環とを固定ベルトで連結して樹木を支えることが提案されている。
【特許文献１】特開平８−１０３１８０号公報
【発明の開示】
【発明が解決しようとする課題】
【０００４】
しかしながら、根鉢を覆ってしまうことや根鉢の周囲に緊締環を設けることは樹木の成長を阻害することになるし、グレーチング板や緊締環や固定ベルトは、樹木を丈夫に支えようとすればするほど金属とかプラスチックなどの腐触しにくい材料を使うことになるので、いつまでも埴土中に残存し、樹木の自立や安定性を損なうことになった。
【課題を解決するための手段】
【０００５】
本発明は上記の点を考慮してなされたもので、数年以内に腐蝕し易い鉄などの硬質材で網状に構成された平面材と、掘りあげて結束された樹木の底部が全面又は網目に開放された根鉢を前記平面材の上に配置しその樹木の根鉢の周囲を紐状体により前記平面材に巻きつけ固定されたものを、覆うように覆土された埴土からなる。更に好ましくは平面材の網目のサイズは、３ｃｍ以上１５ｃｍ以下とし、平面材を構成する前記硬質材は腐蝕し易い鉄などの金属、木材などとし、さらには樹木の根鉢は前記平面材と接する底部が全面又は網目状に開放する。
【発明の効果】
【０００６】
これにより、平面材は埴土を被せた基礎（素地土壌とか屋上植栽の場合のコンクリート地盤など）のごく近傍に位置することが出来、樹木は平面材と埴土によって実質的に支えられ、比較的近い年月で埴土に根を張ることができ、しかも平面材や紐状体はいずれ腐蝕して土壌中に同化するので、早期に自立した植樹をすることができる。
【発明を実施するための最良の形態】
【０００７】
平面材は、数年以内に腐蝕する硬質材で、細い腐蝕し易い鉄などの金属、木材などからなり、網目が３ｃｍ以上〜１５ｃｍ以下となるように網状に構成する。植栽のため堀あげた樹木は藁、筵、ロン帯、縄などで予め根巻きされているが、好ましくは、根鉢底部は全面又は網目状に開放して、根が伸びやすくしておくほうが良い。植栽樹の大きさに合った網目状平面材を予め組んで作成し、根鉢をその網状の平面材の上に配置する。そしてその樹木の根鉢を平面材に固定するために紐状体を根鉢の周囲に巻き付け結束する。埴土は少なくとも樹木の根鉢部分と前記平面材を覆うように覆土する。
以下、より詳細に実施例に基づいて説明する。
【実施例】
【０００８】
図１、２を用いて本発明実施例を説明する。中・高木植栽樹を、硬質材１１（鉄などの金属、木材等）の網状構造の平面材１に植栽樹の根鉢２を結縛し、根鉢２の深さまで埴土４を盛り、覆土４の重みで、中・高木植栽樹の傾斜、倒伏を防ぎ、樹木の安定をはかる。網状平面材１を構成する硬質材１１の材質は鉄などの金属、木材等の硬質材で湾曲し難いもの３〜５年ほど硬度と形態が保持出来て、徐々に腐蝕するものが用いられる。その後は旺盛な根張りで植栽樹が安定し自立できる。メッシュの形状は四角、長方形、梯形、六角、八角、円形、不整形のいずれでも良い。
【０００９】
網目の大きさは、樹木の成長肥大を考え、３ｃｍ〜１５ｃｍが適当である。これより小さいと根の発育を阻害し、大きいと植栽樹の安定が悪くなる。網状平面材支柱の大きさは植栽樹の大きさ、風当たり状況等によって判断し、決定するのでそれぞれ異なる。目安としては樹高（Ｈ）３ｍの高木で１ｍ２としたい。硬質材の太さは樹高３ｍの高木で金属の場合６ｍｍを目安とし、根鉢１ｍ以上の巨木でも最高１５ｍｍまでとする。なお金属の硬質材を使用する場合、ステンレスなどの腐蝕し難い金属は使用しない。
【００１０】
平面支柱の厚みが小さいため、二重、三重に支柱が重なる部分が出来ても、かえって、強固になり、安定度を強めることになる。平面材支柱に根鉢を結束する紐状帯は、３〜５年位で腐蝕可能な材質で、平面材に巻き通して固定しても切れない程度の太さの材料で、平面材に４箇所結束し、平面材支柱の上を滑らないように結わえる。その上に覆土と根締めの実施で植樹が安定するので更に滑らないように固定される。  根鉢の強固な緊締は、根張りを阻害し、活着を遅延させるので、樹木の生育上好ましく無く、出来れば避けるべきである。
【００１１】
本発明を使用することにより、樹木の根張り活着生育に最良であり、中高木樹植栽の支持安定と固定効果が大きい。平面材のバーの直径と平面材の面積は、植樹の安定が図れる最小の大きさとすることにより、軽量化と加工の便利さを確保する。これにより重量のある材料の設置が困難な場所、土壌が少量で狭隘な場所にも効率よく樹木を植栽することが可能となる。支柱の軽量化と加工の安易さにより設置の作業効率が高く、経費的にも大幅にコストの低減を図ることが出来る。加えて地上部に支柱が露出しないため、通行の障害にもならないし、景観上最良の形態である。
【産業上の利用可能性】
【００１２】
本発明により、樹木が自然の状態に育成する、すなわち自立の早い植樹が行われる。
【図面の簡単な説明】
【００１３】
【図１】本発明の斜視図である。
【図２】本発明の正面図である。
【符号の説明】
【００１４】
１．平面材
２．根鉢
３．紐状体
４．埴土（覆土）
１１．硬質材
【図１】
2009219432.tif 000003
【図２】
2009219432.tif 000004